(57)【要約】  本発明は、干渉処理方法、端末装置、ネットワーク装置及びコンピュータ記憶媒体を開示する。前記方法は、前記端末装置がデュアル接続モードにある場合、第一のセルの搬送波における少なくとも一つのサブ周波数帯域と第二のセルとでデータを同時に送受信する時の内部干渉レベルを検出し、ここで、前記デュアル接続モードで、前記端末装置が第一のセルと第二のセルとへの接続を確立することができることと、前記サブ周波数帯域と第二のセルとでデータを同時に送受信する時の内部干渉レベルに基づいて、前記サブ周波数帯域の使用優先度を確定することと、前記サブ周波数帯域、対応する内部干渉レベル及び使用優先度をネットワーク側に報告し、ここで、前記内部干渉レベルが、内部干渉指示が存在するか否か、内部干渉グレードのうちの少なくとも一つを含むこととを含む。
2021502721.tif 000002
【特許請求の範囲】
【請求項１】
干渉処理方法であって、端末装置に適用され、
前記端末装置が、デュアル接続モードにある場合、第一のセルの搬送波における少なくとも一つのサブ周波数帯域と第二のセルとでデータを同時に送受信する時の内部干渉レベルを検出し、ここで、前記デュアル接続モードで、前記端末装置が第一のセルと第二のセルとへの接続を確立することができることと、
前記サブ周波数帯域と第二のセルとでデータを同時に送受信する時の内部干渉レベルに基づいて、前記サブ周波数帯域の使用優先度を確定することと、
前記サブ周波数帯域、対応する内部干渉レベル及び使用優先度をネットワーク側に報告し、ここで、前記内部干渉レベルが、内部干渉指示が存在するか否か、内部干渉グレードのうちの少なくとも一つを含むこととを含む、前記干渉処理方法。
【請求項２】
前記方法はさらに、
第一のセルの搬送波スペクトル内で、各サブ周波数帯域を中心周波数ポイント及び帯域幅で表すことを含むことを特徴とする
請求項１に記載の方法。
【請求項３】
前記方法はさらに、
第一のセルの搬送波スペクトル内で、各サブ周波数帯域をサブ周波数帯域インデックス識別子で表すことを含むことを特徴とする
請求項１に記載の方法。
【請求項４】
前記方法はさらに、
前記第一のセルの搬送波のスペクトルを分割して少なくとも一つのスペクトルを取得することと、
少なくとも一つのスペクトルに対応する周波数に基づき、スペクトルごとにインデックス識別子を設定することとを含むことを特徴とする請求項３に記載の方法。
【請求項５】
前記方法はさらに、
第一のセルの搬送波スペクトル内で、各サブ周波数帯域を周波数ポイント開始位置及び帯域幅長さで表すことを含むことを特徴とする
請求項１に記載の方法。
【請求項６】
第一のセルの搬送波における少なくとも一つのサブ周波数帯域と第二のセルとでデータを同時に送受信する時の内部干渉レベルを検出し、前記方法はさらに、
搬送波アグリゲーション構成を採用する前記少なくとも一つの第二のセルのそれぞれに対して、前記第一のセルの搬送波における少なくとも一つのサブ周波数帯域と各第二のセルとでデータを同時に送受信する時の内部干渉レベルを検出することを含むことを特徴とする
請求項１に記載の方法。
【請求項７】
前記方法はさらに、
前記サブ周波数帯域と各第二のセルとでデータを同時に送受信する時の内部干渉レベル、及び対応する使用優先度をネットワーク側に報告することを含むことを特徴とする
請求項６に記載の方法。
【請求項８】
干渉処理方法であって、第一のネットワーク装置に適用され、
端末装置がデュアル接続モードにある場合、前記端末装置から報告された第一のセルに対応する少なくとも一つのサブ周波数帯域と第二のセルとでデータを同時に受信する時の内部干渉レベル情報と前記サブ周波数帯域に対応する使用優先度を取得し、ここで、前記デュアル接続モードで、前記端末装置が第一のセルと第二のセルとへの接続を確立することができることと、
前記少なくとも一つのサブ周波数帯域と第二のセルとでデータを同時に受信する時の内部干渉レベル情報と前記サブ周波数帯域に対応する使用優先度に基づき、使用のサブ周波数帯域を前記端末装置に指定することとを含む、前記干渉処理方法。
【請求項９】
前記方法はさらに、
受信された前記第一のセルに対応する少なくとも一つのサブ周波数帯域と第二のセルとでデータを同時に受信する時の内部干渉レベル情報と前記サブ周波数帯域に対応する使用優先度を、前記第二のセルを管理するための第二のネットワーク装置に送信すること、
又は、
前記端末装置から報告された第一のセルに対応する少なくとも一つのサブ周波数帯域と第二のセルとでデータを同時に受信する時の内部干渉レベル情報と前記サブ周波数帯域に対応する使用優先度を前記第二のネットワーク装置から取得することを含むことを特徴とする
請求項８に記載の方法。
【請求項１０】
前記少なくとも一つのサブ周波数帯域の内部干渉状況に基づき、帯域幅部分を前記端末装置に指定することは、
前記サブ周波数帯域に対応する使用優先度に基づき、前記端末装置のためにターゲットサブ周波数帯域を選択することと、
前記ターゲットサブ周波数帯域を前記端末装置に指定することとを含むことを特徴とする請求項８に記載の方法。
【請求項１１】
前記方法はさらに、
前記端末装置から送信された、搬送波アグリゲーションモードにある各第二のセルに対応する内部干渉レベル、及び対応する使用優先度を受信することを含むことを特徴とする
請求項８に記載の方法、
【請求項１２】
前記方法はさらに、
第二のネットワーク装置から送信された、搬送波アグリゲーションモードにある少なくとも一つの第二のセルに対するスケジューリングパターン情報を取得することを含むことを特徴とする
請求項１１に記載の方法。
【請求項１３】
前記方法はさらに、
前記少なくとも一つの第二のセルのスケジューリングパターン情報、端末装置によって識別された少なくとも一つの第二のセルのそれぞれと前記第一のセルの間の内部干渉レベル、及び対応する使用優先度に基づき、前記端末装置のためにターゲットサブ周波数帯域を選択することを含むことを特徴とする
請求項１２に記載の方法。
【請求項１４】
搬送波アグリゲーションモードにある少なくとも一つの第二のセルに対するスケジューリングパターン情報は、
周期情報、タイミングオフセット、スケジューリングパターン情報に対応するビットマップを含むことを特徴とする
請求項１２に記載の方法。
【請求項１５】
前記スケジューリングパターン情報に対応するビットマップは、前記第二のセルがビットマップに対応する時間ユニットでスケジューリングされるか否かを示すことに用いられ、
ここで、前記時間ユニットがサブフレーム、タイムスロット、シンボルのいずれかの一つであることを特徴とする
請求項１４に記載の方法。
【請求項１６】
端末装置であって、
前記端末装置がデュアル接続モードにある場合、第一のセルの搬送波における少なくとも一つのサブ周波数帯域と第二のセルとでデータを同時に送受信する時の内部干渉レベルを検出し、前記サブ周波数帯域と第二のセルとでデータを同時に送受信する時の内部干渉レベルに基づいて、前記サブ周波数帯域の使用優先度を確定し、ここで、前記デュアル接続モードで、前記端末装置が第一のセルと第二のセルとへの接続を確立することができる第一の処理ユニットと、
前記サブ周波数帯域、対応する内部干渉レベル及び使用優先度をネットワーク側に報告し、ここで、前記内部干渉レベルが、内部干渉指示が存在するか否か、内部干渉グレードのうちの少なくとも一つを含む第一の通信ユニットとを備える、前記端末装置。
【請求項１７】
前記第一の処理ユニットは、第一のセルの搬送波スペクトル内で、各サブ周波数帯域を中心周波数ポイント及び帯域幅で表すことを含むことを特徴とする
請求項１６に記載の端末装置。
【請求項１８】
前記第一の処理ユニットは、第一のセルの搬送波スペクトル内で、各サブ周波数帯域をサブ周波数帯域インデックス識別子で表すことを特徴とする
請求項１６に記載の端末装置。
【請求項１９】
前記第一の処理ユニットは、前記第一のセルの搬送波スペクトルを分割して少なくとも一つのスペクトルを取得し、
少なくとも一つのスペクトルに対応する周波数に基づき、スペクトルごとにインデックス識別子を設定することを特徴とする
請求項１８に記載の端末装置。
【請求項２０】
前記第一の処理ユニットは、第一のセルの搬送波スペクトル内で、各サブ周波数帯域を周波数ポイント開始位置と帯域幅長さで表すことを特徴とする
請求項１６に記載の端末装置。
【請求項２１】
前記第一の処理ユニットは、搬送波アグリゲーション構成を採用する前記少なくとも一つの第二のセルのそれぞれに対して、前記第一のセルの搬送波における少なくとも一つのサブ周波数帯域と各第二のセルとでデータを同時に送受信する時の内部干渉レベルを検出することを特徴とする
請求項１６に記載の端末装置。
【請求項２２】
前記第一の処理ユニットは、前記サブ周波数帯域と各第二のセルとでデータを同時に送受信する時の内部干渉レベル、及び対応する使用優先度をネットワーク側に報告することを特徴とする
請求項２１に記載の端末装置。
【請求項２３】
第一のネットワーク装置であって、
端末装置がデュアル接続モードにある場合、前記端末装置から報告された第一のセルに対応する少なくとも一つのサブ周波数帯域と第二のセルとでデータを同時に受信する時の内部干渉レベル情報と前記サブ周波数帯域に対応する使用優先度を取得し、ここで、前記デュアル接続モードで、前記端末装置が第一のセルと第二のセルとへの接続を確立することができる第二の通信ユニットと、
前記少なくとも一つのサブ周波数帯域と第二のセルとでデータを同時に受信する時の内部干渉レベル情報と前記サブ周波数帯域に対応する使用優先度に基づき、使用のサブ周波数帯域を前記端末装置に指定する第二の処理ユニットとを備える、前記第一のネットワーク装置。
【請求項２４】
前記第二の通信ユニットは、受信された前記第一のセルに対応する少なくとも一つのサブ周波数帯域と第二のセルとでデータを同時に受信する時の内部干渉レベル情報と前記サブ周波数帯域に対応する使用優先度を、前記第二のセルを管理するための第二のネットワーク装置に送信し、
又は、
前記端末装置から報告された第一のセルに対応する少なくとも一つのサブ周波数帯域と第二のセルとでデータを同時に受信する時の内部干渉レベル情報と前記サブ周波数帯域に対応する使用優先度を前記第二のネットワーク装置から取得することを含むことを特徴とする
請求項２３に記載の第一のネットワーク装置。
【請求項２５】
前記第二の処理ユニットは、前記サブ周波数帯域に対応する使用優先度に基づき、前記端末装置のためにターゲットサブ周波数帯域を選択し、前記ターゲットサブ周波数帯域を前記端末装置に指定することを特徴とする
請求項２３に記載の第一のネットワーク装置。
【請求項２６】
前記第二の通信ユニットは、前記端末装置から送信された、搬送波アグリゲーションモードにある各第二のセルに対応する内部干渉レベル、及び対応する使用優先度を受信することを特徴とする
請求項２３に記載の第一のネットワーク装置。
【請求項２７】
前記第二の通信ユニットは、第二のネットワーク装置から送信された、搬送波アグリゲーションモードにある少なくとも一つの第二のセルに対するスケジューリングパターン情報を取得することを特徴とする
請求項２６に記載の第一のネットワーク装置。
【請求項２８】
前記第二の処理ユニットは、前記少なくとも一つの第二のセルのスケジューリングパターン情報、端末装置によって識別された少なくとも一つの第二のセルのそれぞれと前記第一のセルの間の内部干渉レベル、及び対応する使用優先度に基づき、前記端末装置のためにターゲットサブ周波数帯域を選択することを特徴とする
請求項２３に記載の第一のネットワーク装置。
【請求項２９】
搬送波アグリゲーションモードにある少なくとも一つの第二のセルに対するスケジューリングパターン情報は、
周期情報、タイミングオフセット、スケジューリングパターン情報に対応するビットマップを含むことを特徴とする
請求項２３に記載の第一のネットワーク装置。
【請求項３０】
前記スケジューリングパターン情報に対応するビットマップは、前記第二のセルがビットマップに対応する時間ユニットでスケジューリングされるか否かを示すことに用いられ、
ここで、前記時間ユニットがサブフレーム、タイムスロット、シンボルのいずれかの一つであることを特徴とする
請求項２９に記載の第一のネットワーク装置。
【請求項３１】
端末装置であって、プロセッサと、プロセッサで実行可能なコンピュータプログラムを記憶するためのメモリとを備え、
ここで、前記プロセッサが前記コンピュータプログラムを実行することに用いられる場合、請求項１−７のいずれか一項に記載される方法のステップを実行する、前記端末装置。
【請求項３２】
第一のネットワーク装置であって、プロセッサと、プロセッサで実行可能なコンピュータプログラムを記憶するためのメモリとを備え、
ここで、前記プロセッサが前記コンピュータプログラムを実行することに用いられる場合、請求項８−１５のいずれか一項に記載される方法のステップを実行する、前記第一のネットワーク装置。
【請求項３３】
コンピュータ記憶媒体であって、コンピュータ実行可能命令を記憶し、前記コンピュータ実行可能命令が実行される時に、請求項１−１５のいずれか一項に記載される方法のステップを実現する、前記コンピュータ記憶媒体。
【発明の詳細な説明】
【技術分野】
【０００１】
本発明は情報処理技術分野に関し、特に干渉処理方法、端末装置、ネットワーク装置及びコンピュータ記憶媒体に関する。
【背景技術】
【０００２】
現在、レート、遅延、高速モビリティ、エネルギー効率に対する要求及び将来の生活中のサービスの多様性、複雑さに伴い、３ＧＰＰ国際標準化機構は５Ｇの研究及び開発を開始する。ＮＲを初期にデプロイする時に、完全なＮＲカバレッジを取得することが難しいため、典型的なネットワークカバレッジは、ＬＴＥの広域カバレッジとＮＲのアイランドカバレッジモデルである。しかも、大量のＬＴＥが６ＧＨｚ以下でデプロイされ、５Ｇに利用可能な６ＧＨｚ以下のスペクトルが少ない。したがって、ＮＲは６ＧＨｚ以上のスペクトル運用を研究する必要がある。しかし高周波帯域のカバレッジが制限され、信号フェージングが速い。また、モバイルオペレーターが以前のＬＴＥの投資を保護するために、ＬＴＥとＮＲの間の緊密なインターワーキング（ｔｉｇｈｔ  ｉｎｔｅｒｗｏｒｋｉｎｇ）の動作モードが提案される。
【０００３】
５ＧでＬＴＥ−ＮＲ  インターワーキング（ｉｎｔｅｒｗｏｒｋｉｎｇ）をサポートするために、一つの端末が異なる周波数帯域にある２つ又は２つ以上の搬送波で同時に動作する場合、これらの搬送波のアップリンク信号はいくつかの搬送波のダウンリンク受信信号に干渉する可能性がある。
【発明の概要】
【発明が解決しようとする課題】
【０００４】
上記技術的問題を解決するために、本発明の実施例は干渉処理方法、端末装置、ネットワーク装置及びコンピュータ記憶媒体を提供する。
【課題を解決するための手段】
【０００５】
本発明の実施例による干渉処理方法は、端末装置に適用され、
前記端末装置がデュアル接続モードにある場合、第一のセルの搬送波における少なくとも一つのサブ周波数帯域と第二のセルとでデータを同時に送受信する時の内部干渉レベルを検出し、ここで、前記デュアル接続モードで、前記端末装置が第一のセルと第二のセルとへの接続を確立することができることと、
前記サブ周波数帯域と第二のセルとでデータを同時に送受信する時の内部干渉レベルに基づいて、前記サブ周波数帯域の使用優先度を確定することと、
前記サブ周波数帯域、対応する内部干渉レベル及び使用優先度をネットワーク側に報告し、ここで、前記内部干渉レベルが、内部干渉指示が存在するか否か、内部干渉グレードのうちの少なくとも一つを含む。
【０００６】
本発明の実施例による干渉処理方法は、第一のネットワーク装置に適用され、
端末装置がデュアル接続モードにある場合、前記端末装置から報告された第一のセルに対応する少なくとも一つのサブ周波数帯域と第二のセルとでデータを同時に受信する時の内部干渉レベル情報と前記サブ周波数帯域に対応する使用優先度を取得し、ここで、前記デュアル接続モードで、前記端末装置が第一のセルと第二のセルとへの接続を確立することができることと、
前記少なくとも一つのサブ周波数帯域と第二のセルとでデータを同時に受信する時の内部干渉レベル情報と前記サブ周波数帯域に対応する使用優先度に基づき、使用のサブ周波数帯域を前記端末装置に指定することとを含む。
【０００７】
本発明の実施例による端末装置は、
前記端末装置がデュアル接続モードにある場合、第一のセルの搬送波における少なくとも一つのサブ周波数帯域と第二のセルとでデータを同時に送受信する時の内部干渉レベルを検出し、前記サブ周波数帯域と第二のセルとでデータを同時に送受信する時の内部干渉レベルに基づいて、前記サブ周波数帯域の使用優先度を確定し、ここで、前記デュアル接続モードで、前記端末装置が第一のセルと第二のセルとへの接続を確立することができる第一の処理ユニットと、
前記サブ周波数帯域、対応する内部干渉レベル及び使用優先度をネットワーク側に報告し、ここで、前記内部干渉レベルが、内部干渉指示が存在するか否か、内部干渉グレードのうちの少なくとも一つを含む第一の通信ユニットとを備える。
【０００８】
本発明の実施例による第一のネットワーク装置は、
端末装置がデュアル接続モードにある場合、前記端末装置から報告された第一のセルに対応する少なくとも一つのサブ周波数帯域と第二のセルとでデータを同時に受信する時の内部干渉レベル情報と前記サブ周波数帯域に対応する使用優先度を取得し、ここで、前記デュアル接続モードで、前記端末装置が第一のセルと第二のセルとへの接続を確立することができる第二の通信ユニットと、
前記少なくとも一つのサブ周波数帯域と第二のセルとでデータを同時に受信する時の内部干渉レベル情報と前記サブ周波数帯域に対応する使用優先度に基づき、使用のサブ周波数帯域を前記端末装置に指定する第二の処理ユニットとを備える。
【０００９】
本発明の実施例による端末装置はプロセッサと、プロセッサで実行可能なコンピュータプログラムを記憶するためのメモリとを備え、
ここで、前記プロセッサが前記コンピュータプログラムを実行することに用いられる場合、上記方法のステップを実行する。
【００１０】
本発明の実施例による第一のネットワーク装置はプロセッサと、プロセッサで実行可能なコンピュータプログラムを記憶するためのメモリとを備え、
ここで、前記プロセッサが前記コンピュータプログラムを実行することに用いられる場合、上記方法のステップを実行する。
【００１１】
本発明の実施例によるコンピュータ記憶媒体は、コンピュータ実行可能命令を記憶し、前記コンピュータ実行可能命令が実行される時に、上記方法のステップを実現する。
【００１２】
本発明の実施例の技術的解決策では、端末装置は、デュアル接続モードで、第一のセル及び第二のセルがデータを同時に送受信することに対応する内部干渉レベル及び端末装置があるスペクトルを使用する優先度情報を、ネットワーク側に報告し、さらにネットワーク側はサブ周波数帯域を動的に割り当てる時に、端末装置から報告された情報を参照し、端末装置に適切なサブ周波数帯域を選択する。これにより、２つのセルがデータを同時に送受信する場合で自己干渉を回避し、データ復調性能を向上させる効果を達成し、さらにデータ伝送の信頼性とスループットを向上させることができる。
【図面の簡単な説明】
【００１３】
【図１】本発明の実施例による干渉処理方法のフローチャートである。
【図２】本発明の実施例による干渉処理方法のフローチャートである。
【図３】本発明の実施例による端末装置の構成構造図である。
【図４】本発明の実施例による第一のネットワーク装置の構成構造図である。
【図５】本発明の実施例によるハードウェアアーキテクチャ図である。
【発明を実施するための形態】
【００１４】
本発明の実施例の特徴と技術内容をより詳しく理解することができるために、以下に図面と組み合わせて本発明の実施例の実現を詳しく説明し、添付の図面が例示のみを目的としており、本発明の実施例を限定することに用いられない。
【００１５】
実施例１、
本発明の実施例による干渉処理方法は、端末装置に適用され、図１に示すように、
前記端末装置がデュアル接続モードにある場合、第一のセルの搬送波における少なくとも一つのサブ周波数帯域と第二のセルとでデータを同時に送受信する時の内部干渉レベルを検出し、ここで、前記デュアル接続モードで、前記端末装置が第一のセルと第二のセルとへの接続を確立することができるステップ１０１と、
前記サブ周波数帯域と第二のセルとでデータを同時に送受信する時の内部干渉レベルに基づいて、前記サブ周波数帯域の使用優先度を確定するステップ１０２と、
前記サブ周波数帯域、対応する内部干渉レベル及び使用優先度をネットワーク側に報告し、ここで、前記内部干渉レベルが、内部干渉指示が存在するか否か、内部干渉グレードのうちの少なくとも一つを含むステップ１０３とを含む。
【００１６】
本発明の実施例における端末装置はデュアル接続を行うことができる移動端末であってもよく、例えばスマートフォン、ユーザ装置、タブレットコンピュータなどの装置であってもよく、ここでは網羅しない。
【００１７】
前記デュアル接続モードは、端末装置、例えばＵＥがネットワーク側の配置で入ったＥＮ−ＤＣモードであってもよい。前記ＥＮ−ＤＣモードは、端末装置がＬＴＥセル及びＮＲセルのデュアル接続を行う場合であってもよい。
【００１８】
上記第一のセルはＮＲセルであってもよく、第二のセルはＬＴＥセルであってもよい。
【００１９】
さらに、前記第一のセルと第二のセルがデータを同時に送受信することは、第一のセル（ＮＲセル）でデータを送信し、同時に第二のセル（ＬＴＥセル）でデータを受信するという処理であってもよい。
【００２０】
前記ステップ１０１で、第一のセルの搬送波における少なくとも一つのサブ周波数帯域と第二のセルとでデータを同時に送受信する時の内部干渉レベルを検出することは、端末装置が、第一のセルでデータを送信する時に、第二のセルに対応する周波数帯域への干渉の状況を検出することであってもよい。前記内部干渉レベルは、内部干渉指示が存在するか否か、内部干渉グレードのうちの少なくとも一つを含み、即ち、第一のセルの少なくとも一つのサブ周波数帯域における各サブ周波数帯域に干渉が存在するか否かを示すことができる内部干渉指示を含む。
【００２１】
干渉が存在するか否かは、サブ周波数帯域に干渉があること、干渉がないこと、又は弱い干渉があることであってもよい。ここで、弱い干渉があることは、干渉値が予め設定された干渉閾値より低いことを指し、予め設定された干渉閾値が実際の状況に応じて設定されてもよい。当然、弱い干渉はさらに信号対雑音比が予め設定された閾値より低いこと、又は信号強度が予め設定された閾値より高いことを指すことができ、ここでは網羅しない。
【００２２】
また、内部干渉レベルは内部干渉グレードとして表されてもよく、例えば、干渉がないサブ周波数帯域の内部干渉グレードは０であってもよく、干渉があるサブ周波数帯域（即ち信号対雑音比が最低信号対雑音比閾値より低く、又は、干渉値が最高干渉閾値より高いサブ周波数帯域）は５に設定されてもよく、また、他のグレード閾値に基づいて他の干渉値に対応する内部干渉グレードを設定することができる。
【００２３】
サブ周波数帯域の使用優先度を確定することは、前記ステップ１０２に示すように、前記サブ周波数帯域と第二のセルとでデータを同時に送受信する時の内部干渉レベルに基づいて、前記サブ周波数帯域の使用優先度を確定することがであってもよい。端末装置が実際のニーズに応じて設定することであってもよく、例えば、サブ周波数帯域の干渉値が低い（即ち内部干渉レベルが低い）サブ周波数帯域の使用優先度が高く設定されてもよく、また長く使用されたサブ周波数帯域の使用優先度が高く設定されてもい。
【００２４】
また、端末装置は干渉がある少なくとも一部のサブ周波数帯域を使用するか否かの指示情報をネットワーク側に送信する。
【００２５】
端末装置、例えばＵＥは、ＮＲセルの搬送波と帯域幅、及びＮＲと共同で動作するＬＴＥセルの搬送波と帯域幅に基づき、ＮＲ搬送波における異なるサブバンドに内部干渉が存在するか否かを分析し、その後、端末装置はＮＲ帯域幅全体で、どの部分のサブバンドに内部干渉がないか及び端末装置が望む使用優先度、どの部分のサブバンドに内部干渉が必ず存在するか及び端末装置が望む使用優先度、どの部分のサブバンドにに弱い内部干渉があるか及び端末装置が望む使用優先度、及びいくつかの部分のサブバンドの使用を推奨するか否かの指示を報告する。
【００２６】
端末装置がＮＲサブバンドに内部干渉が存在するか否かのサブ情報を報告する表示形態は次の通りである。
【００２７】
方式１において、第一のセルの搬送波スペクトル内で、各サブバンドを中心周波数ポイント及び帯域幅で表す。即ち、ＮＲ搬送波スペクトル内で、各サブバンド情報を周波数帯域と帯域幅で表す。
【００２８】
方式２において、第一のセルの搬送波スペクトル内で、各サブ周波数帯域をサブ周波数帯域インデックス識別子で表す。
【００２９】
ここで、インデックス識別子の設定方式は、前記第一のセルの搬送波のスペクトルを分割して少なくとも一つのスペクトルを取得し、少なくとも一つのスペクトルに対応する周波数に基づき、スペクトルごとにインデックス識別子を設定することであってもよい。
【００３０】
即ち、端末装置はＮＲセル全体の搬送波のスペクトルを一定の帯域幅などのサイズで区分し、その後周波数の昇順でスペクトルにインデックス、例えば１、２、３などを付ける。それに対応して、端末装置は区分されたスペクトルのインデックスに従ってＮＲ搬送波スペクトルの内部干渉状況を報告し、スペクトルごとに端末装置がこのスペクトルを使用することを好む優先度情報を識別する。
【００３１】
方式３において、第一のセルの搬送波スペクトル内で、各サブ周波数帯域を周波数ポイント開始位置及び帯域幅長さで表す。即ち、ＮＲ搬送波スペクトル内で、各サブバンド情報を周波数ポイント開始位置と帯域幅長さで表す。
【００３２】
指摘すべきものとして、いずれの基地局（ＬＴＥ基地局又はＮＲＦ基地局）は端末装置から報告された内部干渉補助情報を受信した後、別の基地局に転送する。
【００３３】
ＮＲ基地局は、ＢＷＰ（即ちサブ周波数帯域）を使用するように端末装置に命令する時に、優先度が高いサブバンドでＢＷＰを端末装置に優先的に指定する。
【００３４】
上記解決策ではＮＲとＬＴＥセルがデュアル接続されている場合の端末装置の処理方式が示される。以下にＬＴＥシステムのセルが搬送波アグリゲーション（ＣＡ）の配置を採用する場合、端末装置の処理方式は次の通りである。
【００３５】
第一のセルの搬送波における少なくとも一つのサブ周波数帯域と第二のセルとでデータを同時に送受信する時の内部干渉レベルを検出し、前記方法はさらに、
搬送波アグリゲーションの配置を採用する前記少なくとも一つの第二のセルのそれぞれに対して、前記第一のセルの搬送波における少なくとも一つのサブ周波数帯域と各第二のセルとでデータを同時に送受信する時の内部干渉レベルを検出することを含む。
【００３６】
この場合、さらに、第一のセルの搬送波における少なくとも一つのサブ周波数帯域と各第二のセルがデータを送受信する時の内部干渉レベルに基づいて、対応する使用優先度を確定し、さらに前記第一のセルの搬送波における少なくとも一つのサブ周波数帯域と各第二のセルとでデータを同時に送受信する時の内部干渉レベル、及び対応する使用優先度をネットワーク側に報告することを含むことができる。
【００３７】
具体的には、ＬＴＥ側のセルがＣＡ配置を採用する場合、端末装置は上記解決策に従って、各ＬＴＥ  ＣＡにおけるサービングセルに対して、該セルとＮＲ搬送波セルの周波数スペクトルの間の干渉レベル分布を報告する。いずれの基地局（ＬＴＥ基地局又はＮＲＦ基地局）は端末装置から報告された内部干渉補助情報を受信した後、別の基地局に転送する。
【００３８】
端末装置の内部干渉を回避するとともに、ＮＲ搬送波スペクトルの利用効率を向上させるために、ＬＴＥは一つのＬＴＥの各サービングセルのスケジューリングパターン（ｐａｔｔｅｒｎ）を設定し、その後ＮＲに送信し、ＮＲはＬＴＥセルのスケジューリングパターン（ｐａｔｔｅｒｎ）、及び端末装置によって識別されたＬＴＥ  ＣＡセルリストにおける各セルとＮＲセルにおけるＢＷＰの内部干渉状況に基づき、端末装置に適切なＢＷＰを選択する。
【００３９】
又は、合理的なスケジューリングにより、問題のあるＢＷＰとＬＴＥ  ｃｅｌｌｓがデータを同時に送受信することを回避する。
【００４０】
上記から分かるように、上記解決策により、端末装置は、デュアル接続モードで、第一のセル及び第二のセルがデータを同時に送受信することに対応する内部干渉レベル及び端末装置がある周波数スペクトルを使用する優先度情報を、ネットワーク側に報告し、さらにネットワーク側は、サブ周波数帯域を動的に割り当てる時に、端末装置から報告された情報を参照し、端末装置に適切なサブ周波数帯域を選択する。これにより、２つのセルがデータを同時に送受信する場合で自己干渉を回避し、データ復調性能を向上させる効果を達成し、さらにデータ伝送の信頼性とスループットを向上させることができる。
【００４１】
実施例２、
本発明の実施例による干渉処理方法は、第一のネットワーク装置に適用され、図２に示すように、
端末装置がデュアル接続モードにある場合、前記端末装置から報告された第一のセルに対応する少なくとも一つのサブ周波数帯域と第二のセルとでデータを同時に受信する時の内部干渉レベル情報と前記サブ周波数帯域に対応する使用優先度を取得し、ここで、前記デュアル接続モードで、前記端末装置が第一のセルと第二のセルとへの接続を確立することができるステップ２０１と、
前記少なくとも一つのサブ周波数帯域と第二のセルとでデータを同時に受信する時の内部干渉レベル情報と前記サブ周波数帯域に対応する使用優先度に基づき、使用のサブ周波数帯域を前記端末装置に指定するステップ２０２とを含む。
【００４２】
本発明の実施例における端末装置はデュアル接続を行うことができる移動端末であってもよく、例えばスマートフォン、ユーザ装置（端末装置）、タブレットコンピュータなどの装置であってもよく、ここでは網羅しない。
【００４３】
前記デュアル接続モードは端末装置、例えばＵＥがネットワーク側の配置でＥＮ−ＤＣモードに入ることであってもよい。前記ＥＮ−ＤＣモードは端末装置がＬＴＥセル及びＮＲセルのデュアル接続を行うことであってもよい。
【００４４】
上記第一のセルはＮＲセルであってもよく、第二のセルはＬＴＥセルであってもよい。
【００４５】
さらに、前記第一のセルと第二のセルがデータを同時に送受信することは、第一のセル（ＮＲセル）がデータを送信し、同時に第二のセル（ＬＴＥセル）がデータを受信するという処理であってもよい。
【００４６】
前記内部干渉レベルは、内部干渉指示が存在するか否か、内部干渉グレードのうちの少なくとも一つ、即ち、第一のセルの少なくとも一つのサブ周波数帯域における各サブ周波数帯域に干渉が存在するか否かを示すことができる内部干渉指示を含む。
【００４７】
干渉が存在するか否かは、サブ周波数帯域に干渉があること、干渉がないこと、又は弱い干渉があることであってもよい。ここで、弱い干渉があることは、干渉値が予め設定された干渉閾値より低いことを指し、予め設定された干渉閾値が実際の状況に応じて設定されてもよい。当然、弱い干渉はさらに信号対雑音比が予め設定された閾値より低いこと、又は信号強度が予め設定された閾値より高いことを指すことができ、ここでは網羅しない。
【００４８】
また、内部干渉レベルは内部干渉グレードとして表されてもよく、例えば、干渉がないサブ周波数帯域の内部干渉グレードは０であってもよく、干渉があるサブ周波数帯域（即ち信号対雑音比が最低信号対雑音比閾値より低く、又は、干渉値が最高干渉閾値より高いサブ周波数帯域）は５に設定されてもよく、その後、他のグレード閾値に基づいて他の干渉値に対応する内部干渉グレードを設定することができる。
【００４９】
サブ周波数帯域の使用優先度を確定することは、前記サブ周波数帯域と第二のセルとでデータを同時に送受信する時の内部干渉レベルに基づいて、前記サブ周波数帯域の使用優先度を確定することがであってもよい。端末装置が実際のニーズに応じて設定することであってもよく、例えば、サブ周波数帯域の干渉値が低い（即ち内部干渉レベルが低い）サブ周波数帯域の使用優先度が高く設定されてもよく、また長く使用されたサブ周波数帯域の使用優先度が高く設定されてもい。
【００５０】
また、端末装置は干渉がある少なくとも一部のサブ周波数帯域を使用するか否かの指示情報をネットワーク側に送信する。
【００５１】
端末装置、例えばＵＥは、ＮＲセルの搬送波と帯域幅、及びＮＲと共同で動作するＬＴＥセルの搬送波と帯域幅に基づき、ＮＲ搬送波における異なるサブバンドに内部干渉が存在するか否かを分析し、その後、端末装置はＮＲ帯域幅全体で、どの部分のサブバンドに内部干渉がないか及び端末装置が望む使用優先度、どの部分のサブバンドに内部干渉が必ず存在するか及び端末装置が望む使用優先度、どの部分のサブバンドにに弱い内部干渉があるか及び端末装置が望む使用優先度、及びいくつかの部分のサブバンドの使用を推奨するか否かの指示を報告する。
【００５２】
端末装置がＮＲサブバンドに内部干渉が存在するか否かのサブバンド情報を報告する表示形態は次の通りである。
【００５３】
方式１において、第一のセルの搬送波スペクトル内で、各サブ周波数帯域を中心周波数ポイント及び帯域幅で表される。即ち、ＮＲ搬送波スペクトル内で、各サブバンド情報を周波数帯域と帯域幅で表す。
【００５４】
方式２において、第一のセルの搬送波スペクトル内で、各サブ周波数帯域をサブ周波数帯域インデックス識別子で表す。
【００５５】
ここで、インデックス識別子の設定方式は、前記第一のセルの搬送波のスペクトルを分割して少なくとも一つのスペクトルを取得し、少なくとも一つのスペクトルに対応する周波数に基づき、スペクトルごとにインデックス識別子を設定することであってもよい。
【００５６】
即ち、端末装置はＮＲセル全体の搬送波のスペクトルを一定の帯域幅などのサイズで区分し、その後周波数の昇順でスペクトルにインデックス、例えば１、２、３などを付ける。それに対応して、端末装置は区分されたスペクトルのインデックスに従ってＮＲ搬送波スペクトルの内部干渉状況を報告し、スペクトルごとに端末装置がこのスペクトルを使用することを好む優先度情報を識別する。
【００５７】
方式３において、第一のセルの搬送波スペクトル内で、各サブ周波数帯域を周波数ポイント開始位置及び帯域幅長さで表す。即ち、ＮＲ搬送波スペクトル内で、各サブバンド情報を周波数ポイント開始位置と帯域幅長さで表す。
【００５８】
指摘すべきものとして、いずれの基地局（ＬＴＥ基地局又はＮＲＦ基地局）が端末装置から報告された内部干渉補助情報を受信した後、別の基地局に転送する。具体的には、以下を含むことができる。
【００５９】
第一、受信された前記第一のセルに対応する少なくとも一つのサブ周波数帯域と第二のセルとでデータを同時に受信する時の内部干渉レベル情報と前記サブ周波数帯域に対応する使用優先度を、前記第二のセルを管理するための第二のネットワーク装置に送信する。
【００６０】
本処理では、第一のセルはＮＲセルであってもよく、第一のネットワーク装置はＮＲセルを処理できるネットワーク装置であってもよく、それに対応して、第二のセルはＬＴＥセルであってもよく、第二のネットワーク装置はＬＴＥネットワークにおけるセルを管理するためのネットワーク装置である。第一のネットワーク装置及び第二のネットワーク装置は基地局であってもよく、そして第一のネットワーク装置と第二のネットワーク装置は異なるエンティティであり、即ちＬＴＥセル及びＮＲセルをそれぞれ管理するための２つの異なる基地局であってもよい。
【００６１】
第二、前記端末装置から報告された第一のセルに対応する少なくとも一つのサブ周波数帯域と第二のセルとでデータを同時に受信する時の内部干渉レベル情報と前記サブ周波数帯域に対応する使用優先度を前記第二のネットワーク装置から取得する。
【００６２】
上記の２つの方式では、一つはＮＲセル（第一のセル）が端末装置から報告された内部干渉レベル情報及びサブ周波数帯域に対応する使用優先度を受信し、その後これらの情報を第二のセルの第二のネットワーク装置に送信することであり、もう一つは第二のセル（例えばＬＴＥセル）がまず端末装置から報告された内部干渉レベル情報及びサブ周波数帯域に対応する使用優先度を受信し、その後これらの情報を第一のネットワーク装置に送信し、これにより第一のネットワーク装置は第一のセルの干渉協調状況を処理する時に使用する。
【００６３】
前記少なくとも一つのサブ周波数帯域の内部干渉状況に基づき、帯域幅部分を前記端末装置に指定することは、
前記サブ周波数帯域に対応する使用優先度に基づき、前記端末装置のためにターゲットサブ周波数帯域を選択することと、
前記ターゲットサブ周波数帯域を前記端末装置に指定することとを含む。
【００６４】
例えば、ＮＲセルの基地局（即ち第一のセルの第一のネットワーク装置）は、ＢＷＰ（即ちサブ周波数帯域）を使用するように端末装置に命令する時に、優先度が高いサブバンドでＢＷＰを端末装置に優先的に指定する。
【００６５】
上記解決策ではＮＲとＬＴＥセルがデュアル接続されている場合の端末装置の処理方式が示される。以下にＬＴＥシステムのセルが搬送波アグリゲーション（ＣＡ）の配置を採用する場合、端末装置の処理方式は次の通りである。
【００６６】
前記方法はさらに、
前記端末装置から送信された、搬送波アグリゲーションモードにある各第二のセルに対応する内部干渉レベル、及び対応する使用優先度を受信することを含む。
【００６７】
この場合、第二のネットワーク装置から送信された、搬送波アグリゲーションモードにある少なくとも一つの第二のセルスに対するケジューリングパターン情報を取得することをさらに含むことができる。それに対応して、前記少なくとも一つの第二のセルに対するスケジューリングパターン情報、端末装置によって識別された少なくとも一つの第二のセルのそれぞれと前記第一のセルの間の内部干渉レベル、及び対応する使用優先度に基づき、前記端末装置のためにターゲットサブ周波数帯域を選択する。
【００６８】
具体的には、ＬＴＥ側のセルがＣＡ配置を採用する場合、端末装置は上記解決策に従って、各ＬＴＥ  ＣＡにおけるサービングセルに対して、該セルとＮＲ搬送波セルの周波数スペクトルの間の干渉レベル分布を報告する。いずれの基地局（ＬＴＥ基地局又はＮＲＦ基地局）は端末装置から報告された内部干渉補助情報を受信した後、別の基地局に転送する。
【００６９】
端末装置の内部干渉を回避するとともに、ＮＲ搬送波スペクトルの利用効率を向上させるために、ＬＴＥは一つのＬＴＥの各サービングセルのスケジューリングパターン（ｐａｔｔｅｒｎ）を設定し、その後ＮＲに送信し、ＮＲはＬＴＥセルのスケジューリングパターン（ｐａｔｔｅｒｎ）、及び端末装置によって識別されたＬＴＥ  ＣＡセルリストにおける各セルとＮＲセルにおけるＢＷＰの内部干渉状況に基づき、端末装置に適切なＢＷＰを選択する。
【００７０】
又は、合理的なスケジューリングにより、問題のあるＢＷＰとＬＴＥ  ｃｅｌｌｓがデータを同時に送受信することを回避する。
【００７１】
該ＬＴＥの各サービスセルのスケジューリングパターン（ｐａｔｔｅｒｎ）がＬＴＥサ―ビングセルごとに配置され、搬送波アグリゲーションモードにある少なくとも一つの第二のセルに対するスケジューリングパターン情報は、
周期情報、タイミングオフセット、スケジューリングパターン情報に対応するビットマップを含む。
【００７２】
例えば、該パターン（ｐａｔｔｅｒｎ）は一つの周期情報、一つのタイミングオフセット、一つのスケジューリングパターン（ｐａｔｔｅｒｎ）のビットマップ（ｂｉｔｍａｐ）を含む。
【００７３】
前記スケジューリングパターン情報に対応するビットマップは、前記第二のセルがビットマップに対応する時間ユニットでスケジューリングされるか否かを示すことに用いられる。
【００７４】
ここで、前記時間ユニットがサブフレーム、タイムスロット、シンボルのいずれかの一つである。
【００７５】
即ち、各ビット（ｂｉｔ）は一つの時間ユニットを表し、該時間ユニットがサブフレーム又はタイムスロット又はシンボルであってもよい。対応するビット（ｂｉｔ）が１に設定される場合、現在のサ―ビングセルがスケジューリングされることを表し、そうでない場合、スケジューリングされない。（対応するビット（ｂｉｔ）が０に設定される場合、現在のサ―ビングセルがスケジューリングされることを表し、そうでない場合、スケジューリングされないということもできる）。
【００７６】
上記から分かるように、上記解決策により、端末装置は、デュアル接続モードで、第一のセル及び第二のセルがデータを同時に送受信することに対応する内部干渉レベル及び端末装置がある周波数スペクトルを使用する優先度情報を、ネットワーク側に報告し、さらにネットワーク側は、サブ周波数帯域を動的に割り当てる時に、端末装置から報告された情報を参照し、端末装置に適切なサブ周波数帯域を選択する。このようにして、２つのセルがデータを同時に送受信する場合で自己干渉を回避し、データ復調性能を向上させる効果を達成し、さらにデータ伝送の信頼性とスループットを向上させることができる。
【００７７】
実施例３、
本発明の実施例による端末装置は、図３に示すように、
前記端末装置がデュアル接続モードにある場合、第一のセルの搬送波における少なくとも一つのサブ周波数帯域と第二のセルとでデータを同時に送受信する時の内部干渉レベルを検出し、前記サブ周波数帯域と第二のセルとでデータを同時に送受信する時の内部干渉レベルに基づいて、前記サブ周波数帯域の使用優先度を確定し、ここで、前記デュアル接続モードで、前記端末装置が第一のセルと第二のセルとへの接続を確立することができる第一の処理ユニット３１と、
前記サブ周波数帯域、対応する内部干渉レベル及び使用優先度をネットワーク側に報告し、ここで、前記内部干渉レベルが、内部干渉指示が存在するか否か、内部干渉グレードのうちの少なくとも一つを含む第一の通信ユニット３２とを備える。
【００７８】
本発明の実施例における端末装置はデュアル接続を行うことができる移動端末であってもよく、例えばスマートフォン、ユーザ装置（端末装置）、タブレットコンピュータなどの装置であってもよく、ここでは網羅しない。
【００７９】
前記デュアル接続モードは端末装置、例えばＵＥがネットワーク側の配置でＥＮ−ＤＣモードに入ることであってもよい。前記ＥＮ−ＤＣモードは端末装置がＬＴＥセル及びＮＲセルのデュアル接続を行うことであってもよい。
【００８０】
上記第一のセルはＮＲセルであってもよく、第二のセルはＬＴＥセルであってもよい。
【００８１】
さらに、前記第一のセルと第二のセルがデータを同時に送受信することは、第一のセル（ＮＲセル）がデータを送信し、同時に第二のセル（ＬＴＥセル）がデータを受信するという処理であってもよい。
【００８２】
第一の処理ユニット３１が第一のセルの搬送波における少なくとも一つのサブ周波数帯域と第二のセルとでデータを同時に送受信する時の内部干渉レベルを検出することは、端末装置が、第一のセルがデータを送信する時の第二のセルに対応する周波数帯域への干渉の状況を検出することであってもよい。前記内部干渉レベルは、内部干渉指示が存在するか否か、内部干渉グレードのうちの少なくとも一つ、即ち、第一のセルの少なくとも一つのサブ周波数帯域における各サブ周波数帯域に干渉が存在するか否かを示すことができる内部干渉指示を含む。
【００８３】
干渉が存在するか否かは、サブ周波数帯域に干渉があること、干渉がないこと、又は弱い干渉があることであってもよい。ここで、弱い干渉があることは、干渉値が予め設定された干渉閾値より低いことを指し、予め設定された干渉閾値が実際の状況に応じて設定されてもよい。当然、弱い干渉はさらに信号対雑音比が予め設定された閾値より低いこと、又は信号強度が予め設定された閾値より高いことを指すことができ、ここでは網羅しない。
【００８４】
また、内部干渉レベルは内部干渉グレードとして表されてもよく、例えば、干渉がないサブ周波数帯域の内部干渉グレードが０であってもよく、干渉があるサブ周波数帯域（即ち信号対雑音比が最低信号対雑音比閾値より低く、又は、干渉値が最高干渉閾値より高いサブ周波数帯域）が５に設定されてもよく、その後、他のグレード閾値に基づいて他の干渉値に対応する内部干渉グレードを設定することができる。
【００８５】
サブ周波数帯域の使用優先度を確定することに関して、第一の処理ユニット３１は前記サブ周波数帯域と第二のセルとでデータを同時に送受信する時の内部干渉レベルに基づいて、前記サブ周波数帯域の使用優先度を確定する。端末装置が実際のニーズに応じて設定することであってもよく、例えば、サブ周波数帯域の干渉値が低い（即ち内部干渉レベルが低い）サブ周波数帯域の使用優先度が高く設定されてもよく、また長く使用されたサブ周波数帯域の使用優先度が高く設定されてもい。
【００８６】
また、端末装置は干渉がある少なくとも一部のサブ周波数帯域を使用するか否かの指示情報をネットワーク側に送信する。
【００８７】
第一の処理ユニット３１は、ＮＲセルの搬送波と帯域幅、及びＮＲと共同で動作するＬＴＥセルの搬送波と帯域幅に基づき、ＮＲ搬送波における異なるサブバンドに内部干渉が存在するか否かを分析し、その後、端末装置はＮＲ帯域幅全体で、どの部分のサブバンドに内部干渉がないか及び端末装置が望む使用優先度、どの部分のサブバンドに内部干渉が必ず存在するか及び端末装置が望む使用優先度、どの部分のサブバンドにに弱い内部干渉があるか及び端末装置が望む使用優先度、及びいくつかの部分のサブバンドの使用を推奨するか否かの指示を報告する。
【００８８】
第一の処理ユニット３１がＮＲサブバンドに内部干渉が存在するか否かのサブバンド情報を報告する表示形態は次の通りである。
【００８９】
方式１において、第一のセルの搬送波スペクトル内で、各サブ周波数帯域を中心周波数ポイント及び帯域幅で表し、即ち、ＮＲ搬送波スペクトル内で、各サブバンド情報を周波数帯域と帯域幅で表す。
【００９０】
方式２において、第一のセルの搬送波スペクトル内で、各サブ周波数帯域をサブ周波数帯域インデックス識別子で表す。
【００９１】
ここで、インデックス識別子の設定方式は、前記第一のセルの搬送波のスペクトルを分割して少なくとも一つのスペクトルを取得し、少なくとも一つのスペクトルに対応する周波数に基づき、スペクトルごとにインデックス識別子を設定することであってもよい。
【００９２】
即ち、端末装置はＮＲセル全体の搬送波のスペクトルを一定の帯域幅などのサイズで区分し、その後周波数の昇順でスペクトルにインデックス、例えば１、２、３などを付ける。それに対応して、端末装置は区分されたスペクトルのインデックスに従ってＮＲ搬送波スペクトルの内部干渉状況を報告し、スペクトルごとに端末装置がこのスペクトルを使用することを好む優先度情報を識別する。
【００９３】
方式３において、第一のセルの搬送波スペクトル内で、各サブ周波数帯域を周波数ポイント開始位置及び帯域幅長さで表す。即ち、ＮＲ搬送波スペクトル内で、各サブバンド情報を周波数ポイント開始位置と帯域幅長さで表す。
【００９４】
指摘すべきものとして、いずれの基地局（ＬＴＥ基地局又はＮＲＦ基地局）が端末装置から報告された内部干渉補助情報を受信した後、別の基地局に転送する。
【００９５】
ＮＲ基地局は、ＢＷＰ（即ちサブ周波数帯域）を使用するように端末装置に命令する時に、優先度が高いサブバンドでＢＷＰを端末装置に優先的に指定する。
【００９６】
上記解決策ではＮＲとＬＴＥセルがデュアル接続されている場合の端末装置の処理方式が示される。以下にＬＴＥシステムのセルが搬送波アグリゲーション（ＣＡ）の配置を採用する場合、端末装置の処理方式は次の通りである。
【００９７】
前記第一の処理ユニット３１は、搬送波アグリゲーションの配置を採用する前記少なくとも一つの第二のセルのそれぞれに対して、前記第一のセルの搬送波における少なくとも一つのサブ周波数帯域と各第二のセルとでデータを同時に送受信する時の内部干渉レベルを検出する。
【００９８】
この場合、さらに、第一の処理ユニット３１が第一のセルの搬送波における少なくとも一つのサブ周波数帯域と各第二のセルがデータを送受信する時の内部干渉レベルに基づいて、対応する使用優先度を確定し、さらに前記第一のセルの搬送波における少なくとも一つのサブ周波数帯域と各第二のセルとでデータを同時に送受信する時の内部干渉レベル、及び対応する使用優先度をネットワーク側に報告することを含むことができる。
【００９９】
具体的には、ＬＴＥ側のセルがＣＡ配置を採用する場合、端末装置は上記解決策に従って、各ＬＴＥ  ＣＡにおけるサービングセルに対して、該セルとＮＲ搬送波セルの周波数スペクトルの間の干渉レベル分布を報告する。いずれの基地局（ＬＴＥ基地局又はＮＲＦ基地局）は端末装置から報告された内部干渉補助情報を受信した後、別の基地局に転送する。
【０１００】
端末装置の内部干渉を回避するとともに、ＮＲ搬送波スペクトルの利用効率を向上させるために、ＬＴＥは一つのＬＴＥの各サービングセルのスケジューリングパターン（ｐａｔｔｅｒｎ）を設定し、その後ＮＲに送信し、ＮＲはＬＴＥセルのスケジューリングパターン（ｐａｔｔｅｒｎ）、及び端末装置によって識別されたＬＴＥ  ＣＡセルリストにおける各セルとＮＲセルにおけるＢＷＰの内部干渉状況に基づき、端末装置に適切なＢＷＰを選択する。
【０１０１】
又は、合理的なスケジューリングにより、問題のあるＢＷＰとＬＴＥ  ｃｅｌｌｓがデータを同時に送受信することを回避する。
【０１０２】
上記から分かるように、上記解決策により、端末装置は、デュアル接続モードで、第一のセル及び第二のセルがデータを同時に送受信することに対応する内部干渉レベル及び端末装置がある周波数スペクトルを使用する優先度情報を、ネットワーク側に報告し、さらにネットワーク側は、サブ周波数帯域を動的に割り当てる時に、端末装置から報告された情報を参照し、端末装置に適切なサブ周波数帯域を選択する。このようにして、２つのセルがデータを同時に送受信する場合で自己干渉を回避し、データ復調性能を向上させる効果を達成し、さらにデータ伝送の信頼性とスループットを向上させることができる。
【０１０３】
実施例４、
本発明の実施例による第一のネットワーク装置は、図４に示すように、
端末装置がデュアル接続モードにある場合、前記端末装置から報告された第一のセルに対応する少なくとも一つのサブ周波数帯域と第二のセルとでデータを同時に受信する時の内部干渉レベル情報と前記サブ周波数帯域に対応する使用優先度を取得し、ここで、前記デュアル接続モードで、前記端末装置が第一のセルと第二のセルとへの接続を確立することができる第二の通信ユニット４１と、
前記少なくとも一つのサブ周波数帯域と第二のセルとでデータを同時に受信する時の内部干渉レベル情報と前記サブ周波数帯域に対応する使用優先度に基づき、使用のサブ周波数帯域を前記端末装置に指定する第二の処理ユニット４２とを備える。
【０１０４】
本発明の実施例における端末装置はデュアル接続を行うことができる移動端末であってもよく、例えばスマートフォン、ユーザ装置（端末装置）、タブレットコンピュータなどの装置であってもよく、ここでは網羅しない。
【０１０５】
前記デュアル接続モードは端末装置、例えばＵＥがネットワーク側の配置でＥＮ−ＤＣモードに入ることであってもよい。前記ＥＮ−ＤＣモードは端末装置がＬＴＥセル及びＮＲセルのデュアル接続を行うことであってもよい。
【０１０６】
上記第一のセルはＮＲセルであってもよく、第二のセルはＬＴＥセルであってもよい。
【０１０７】
さらに、前記第一のセルと第二のセルがデータを同時に送受信することは、第一のセル（ＮＲセル）がデータを送信し、同時に第二のセル（ＬＴＥセル）がデータを受信するという処理であってもよい。
【０１０８】
前記内部干渉レベルは、内部干渉指示が存在するか否か、内部干渉グレードのうちの少なくとも一つ、即ち、第一のセルの少なくとも一つのサブ周波数帯域における各サブ周波数帯域に干渉が存在するか否かを示すことができる内部干渉指示を含む。
【０１０９】
干渉が存在するか否かは、サブ周波数帯域に干渉があること、干渉がないこと、又は弱い干渉があることであってもよい。ここで、弱い干渉があることは、干渉値が予め設定された干渉閾値より低いことを指し、予め設定された干渉閾値が実際の状況に応じて設定されてもよい。当然、弱い干渉はさらに信号対雑音比が予め設定された閾値より低いこと、又は信号強度が予め設定された閾値より高いことを指すことができ、ここでは網羅しない。
【０１１０】
また、内部干渉レベルは内部干渉グレードとして表されてもよく、例えば、干渉がないサブ周波数帯域の内部干渉グレードが０であってもよく、干渉があるサブ周波数帯域（即ち信号対雑音比が最低信号対雑音比閾値より低く、又は、干渉値が最高干渉閾値より高いサブ周波数帯域）は５に設定されてもよく、その後、他のグレード閾値に基づいて他の干渉値に対応する内部干渉グレードを設定することができる。
【０１１１】
サブ周波数帯域の使用優先度を確定することは、前記サブ周波数帯域と第二のセルとでデータを同時に送受信する時の内部干渉レベルに基づいて、前記サブ周波数帯域の使用優先度を確定することがであってもよい。端末装置が実際のニーズに応じて設定することであってもよく、例えば、サブ周波数帯域の干渉値が低い（即ち内部干渉レベルが低い）サブ周波数帯域の使用優先度が高く設定されてもよく、また長く使用されたサブ周波数帯域の使用優先度が高く設定されてもい。
【０１１２】
また、端末装置は干渉がある少なくとも一部のサブ周波数帯域を使用するか否かの指示情報をネットワーク側に送信する。
【０１１３】
端末装置、例えばＵＥは、ＮＲセルの搬送波と帯域幅、及びＮＲと共同で動作するＬＴＥセルの搬送波と帯域幅に基づき、ＮＲ搬送波における異なるサブバンドに内部干渉が存在するか否かを分析し、その後、端末装置はＮＲ帯域幅全体で、どの部分のサブバンドに内部干渉がないか及び端末装置が望む使用優先度、どの部分のサブバンドに内部干渉が必ず存在するか及び端末装置が望む使用優先度、どの部分のサブバンドにに弱い内部干渉があるか及び端末装置が望む使用優先度、及びいくつかの部分のサブバンドの使用を推奨するか否かの指示を報告する。
【０１１４】
端末装置がＮＲサブバンドに内部干渉が存在するか否かのサブバンド情報を報告する表示形態は次の通りである。
【０１１５】
方式１において、第一のセルの搬送波スペクトル内で、各サブ周波数帯域を中心周波数ポイント及び帯域幅で表す。即ち、ＮＲ搬送波スペクトル内で、各サブバンド情報を周波数帯域と帯域幅で表する。
【０１１６】
方式２において、第一のセルの搬送波スペクトル内で、各サブ周波数帯域をサブ周波数帯域インデックス識別子で表す。
【０１１７】
ここで、インデックス識別子の設定方式は、前記第一のセルの搬送波のスペクトルを分割して少なくとも一つのスペクトルを取得し、少なくとも一つのスペクトルに対応する周波数に基づき、スペクトルごとにインデックス識別子を設定することであってもよい。
【０１１８】
即ち、端末装置はＮＲセル全体の搬送波のスペクトルを一定の帯域幅などのサイズで区分し、その後周波数の昇順でスペクトルにインデックス、例えば１、２、３などを付ける。それに対応して、端末装置は区分されたスペクトルのインデックスに従ってＮＲ搬送波スペクトルの内部干渉状況を報告し、スペクトルごとに端末装置がこのスペクトルを使用することを好む優先度情報を識別する。
【０１１９】
方式３において、第一のセルの搬送波スペクトル内で、各サブ周波数帯域を周波数ポイント開始位置及び帯域幅長さで表す。即ち、ＮＲ搬送波スペクトル内で、各サブバンド情報を周波数ポイント開始位置と帯域幅長さで表す。
【０１２０】
指摘すべきものとして、いずれの基地局（ＬＴＥ基地局又はＮＲＦ基地局）が端末装置から報告された内部干渉補助情報を受信した後、別の基地局に転送する。具体的には、以下を含むことができる。
【０１２１】
第一、第二の通信ユニット４１は、受信された前記第一のセルに対応する少なくとも一つのサブ周波数帯域と第二のセルとでデータを同時に受信する時の内部干渉レベル情報と前記サブ周波数帯域に対応する使用優先度を、前記第二のセルを管理するための第二のネットワーク装置に送信する。
【０１２２】
本処理では、第一のセルはＮＲセルであってもよく、第一のネットワーク装置はＮＲセルを処理できるネットワーク装置であってもよく、それに対応して、第二のセルはＬＴＥセルであってもよく、第二のネットワーク装置はＬＴＥネットワークにおけるセルを管理するためのネットワーク装置である。第一のネットワーク装置及び第二のネットワーク装置は基地局であってもよく、そして第一のネットワーク装置と第二のネットワーク装置は異なるエンティティであり、即ちＬＴＥセル及びＮＲセルをそれぞれ管理するための２つの異なる基地局であってもよい。
【０１２３】
第二、第二の通信ユニット４１は、前記端末装置から報告された第一のセルに対応する少なくとも一つのサブ周波数帯域と第二のセルとでデータを同時に受信する時の内部干渉レベル情報と前記サブ周波数帯域に対応する使用優先度を前記第二のネットワーク装置から取得する。
【０１２４】
上記の２つの方式では、一つはＮＲセル（第一のセル）が端末装置から報告された内部干渉レベル情報及びサブ周波数帯域に対応する使用優先度を受信し、その後これらの情報を第二のセルの第二のネットワーク装置に送信することであり、もう一つは第二のセル（例えばＬＴＥセル）がまず端末装置から報告された内部干渉レベル情報及びサブ周波数帯域に対応する使用優先度を受信し、その後これらの情報を第一のネットワーク装置に送信し、これにより第一のネットワーク装置は第一のセルの干渉協調状況を処理する時に使用する。
【０１２５】
前記第二の処理ユニットは、前記サブ周波数帯域に対応する使用優先度に基づき、前記端末装置のためにターゲットサブ周波数帯域を選択し、
前記ターゲットサブ周波数帯域を前記端末装置に指定する。
【０１２６】
例えば、ＮＲセルの基地局（即ち第一のセルの第一のネットワーク装置）は、ＢＷＰ（即ちサブ周波数帯域）を使用するように端末装置に命令する時に、優先度が高いサブバンドでＢＷＰを端末装置に優先的に指定する。
【０１２７】
上記解決策ではＮＲとＬＴＥセルがデュアル接続されている場合の端末装置の処理方式が示される。以下にＬＴＥシステムのセルが搬送波アグリゲーション（ＣＡ）の配置を採用する場合、端末装置の処理方式は次の通りである。
【０１２８】
前記第二の通信ユニットは、前記端末装置から送信された、搬送波アグリゲーションモードにある各第二のセルに対応する内部干渉レベル、及び対応する使用優先度を受信する。
【０１２９】
この場合、前記第二の通信ユニットは、第二のネットワーク装置から送信された、搬送波アグリゲーションモードにある少なくとも一つの第二のセルに対するスケジューリングパターン情報を取得する。それに対応して、第二の処理ユニットは、前記少なくとも一つの第二のセルのスケジューリングパターン情報、端末装置によって識別された少なくとも一つの第二のセルのそれぞれと前記第一のセルの間の内部干渉レベル、及び対応する使用優先度に基づき、前記端末装置のためにターゲットサブ周波数帯域を選択する。
【０１３０】
具体的には、ＬＴＥ側のセルがＣＡ配置を採用する場合、端末装置は上記解決策に従って、各ＬＴＥ  ＣＡにおけるサービングセルに対して、端末装置は該セルとＮＲ搬送波セルの周波数スペクトルの間の干渉レベル分布を報告する。いずれの基地局（ＬＴＥ基地局又はＮＲＦ基地局）は端末装置から報告された内部干渉補助情報を受信した後、別の基地局に転送する。
【０１３１】
端末装置の内部干渉を回避するとともに、ＮＲ搬送波スペクトルの利用効率を向上させるために、ＬＴＥは一つのＬＴＥの各サービングセルのスケジューリングパターン（ｐａｔｔｅｒｎ）を設定し、その後ＮＲに送信し、ＮＲはＬＴＥセルのスケジューリングパターン（ｐａｔｔｅｒｎ）、及び端末装置によって識別されたＬＴＥ  ＣＡセルリストにおける各セルとＮＲセルにおけるＢＷＰの内部干渉状況に基づき、端末装置に適切なＢＷＰを選択する。
【０１３２】
又は、合理的なスケジューリングにより、問題のあるＢＷＰとＬＴＥ  ｃｅｌｌｓがデータを同時に送受信することを回避する。
【０１３３】
該ＬＴＥの各サービスセルのスケジューリングパターン（ｐａｔｔｅｒｎ）がＬＴＥサ―ビングセルごとに配置され、搬送波アグリゲーションモードにある少なくとも一つの第二のセルに対するスケジューリングパターン情報は、
周期情報、タイミングオフセット、スケジューリングパターン情報に対応するビットマップを含む。
【０１３４】
例えば、該パターン（ｐａｔｔｅｒｎ）は一つの周期情報、一つのタイミングオフセット、一つのスケジューリングパターン（ｐａｔｔｅｒｎ）のビットマップ（ｂｉｔｍａｐ）を含む。
【０１３５】
前記スケジューリングパターン情報に対応するビットマップは、前記第二のセルがビットマップに対応する時間ユニットでスケジューリングされるか否かを示すことに用いられる。
【０１３６】
ここで、前記時間ユニットがサブフレーム、タイムスロット、シンボルのいずれかの一つである。
【０１３７】
即ち、各ビット（ｂｉｔ）は一つの時間ユニットを表し、該時間ユニットがサブフレーム又はタイムスロット又はシンボルであってもよい。対応するビット（ｂｉｔ）が１に設定される場合、現在のサ―ビングセルがスケジューリングされることを表し、そうでない場合、スケジューリングされない。（対応するビット（ｂｉｔ）が０に設定される場合、現在のサ―ビングセルがスケジューリングされることを表し、そうでない場合、スケジューリングされないということもできる）。
【０１３８】
上記から分かるように、上記解決策により、端末装置は、デュアル接続モードで、第一のセル及び第二のセルがデータを同時に送受信することに対応する内部干渉レベル及び端末装置がある周波数スペクトルを使用する優先度情報を、ネットワーク側に報告し、さらにネットワーク側は、サブ周波数帯域を動的に割り当てる時に、端末装置から報告された情報を参照し、端末装置に適切なサブ周波数帯域を選択する。このようにして、２つのセルがデータを同時に送受信する場合で自己干渉を回避し、データ復調性能を向上させる効果を達成し、さらにデータ伝送の信頼性とスループットを向上させることができる。
【０１３９】
本発明の実施例による端末装置、又はネットワーク装置のハードウェア構成アーキテクチャは、図５に示すように、少なくとも一つのプロセッサ５０１、メモリ５０２、少なくとも一つのネットワークインタフェース５０３を備える。各コンポーネントはバスシステム５０４を介して結合される。理解できるものとして、バスシステム５０４はこれらの部材間の接続通信を実現することに用いられる。バスシステム５０４はデータバス以外、電源バス、制御バスと状態信号バスを含む。しかしながら、説明を明確にするために、図５では様々なバスシステムがバスシステム５０４として標識される。
【０１４０】
本発明の実施例におけるメモリ５０２が揮発性記憶装置又は不揮発性記憶装置であってもよく、又は揮発性記憶装置及び不揮発性記憶装置両者を含むことができることは理解可能である。
【０１４１】
いくつかの対応する方式では、メモリ５０２は、実行可能モジュール又はデータ構造、又はそれらのサブセット、又はそれらの拡張セット即ちオペレーティングシステム５０２１及びアプリケーションプログラム５０２２を記憶する。
【０１４２】
ここで、前記プロセッサ５０１は、実施例１又は実施例２に記載される全ての方法のステップを実行できるように構成され、ここでは説明を省略する。
【０１４３】
本発明の実施例によるコンピュータ記憶媒体は、コンピュータ実行可能命令を記憶し、前記コンピュータ実行可能命令が実行される時に、前記実施例１又は２の方法のステップを実施し、ここでは説明を省略する。
【０１４４】
本発明の実施例における上記装置は、ソフトウェア機能モジュールの形態で実現され且つ独立した製品として販売又は使用される時に、一つのコンピュータ読み取り可能な記憶媒体に記憶されてもよい。このような理解に基づき、本発明の実施例における技術的解決策は本質的に又は従来技術に寄与する部分がソフトウェア製品の形で具現化されてもよく、該コンピュータソフトウェア製品がコンピュータ装置（パーソナルコンピュータ、サーバ、又はネットワークデバイス等であってもよい）に本発明の様々な実施例に記載される方法の全て又は一部のステップを実行させるためのいくつかの命令を含む、記憶媒体に記憶される。前記憶媒体はＵディスク、モバイルハードディスク、読み取り専用メモリ（ＲＯＭ：Ｒｅａｄ  Ｏｎｌｙ  Ｍｅｍｏｒｙ）、磁気ディスク又は光ディスク等のプログラムコードを記憶できる様々な媒体を含む。このようにして、本発明の実施例は、いかなる特定のハードウェアとソフトウェアの組み合わせに限定されない。
【０１４５】
それに対応して、本発明の実施例によるコンピュータ記憶媒体は、コンピュータプログラムを記憶し、該コンピュータプログラムが本発明の実施例のデータスケジューリング方法を実行するように構成される。
【０１４６】
本発明の好ましい実施例は例示の目的で開示されたが、当業者は様々な改善、追加及び置換も可能であることを理解し、したがって、本発明の範囲が上記の実施形態に限定されるべきではない。
【図１】
2021502721.tif 000003
【図２】
2021502721.tif 000004
【図３】
2021502721.tif 000005
【図４】
2021502721.tif 000006
【図５】
2021502721.tif 000007
【手続補正書】
【提出日】令和2年9月15日(2020.9.15)
【手続補正１】
【補正対象書類名】特許請求の範囲
【補正対象項目名】全文
【補正方法】変更
【補正の内容】
【特許請求の範囲】
【請求項１】
干渉処理方法であって、端末装置に適用され、
前記端末装置が、デュアル接続モードにある場合、第一のセルの搬送波における少なくとも一つのサブ周波数帯域と第二のセルとでデータを同時に送受信する時の内部干渉レベルを検出し、ここで、前記デュアル接続モードで、前記端末装置が第一のセルと第二のセルとへの接続を確立することができることと、
前記サブ周波数帯域と第二のセルとでデータを同時に送受信する時の内部干渉レベルに基づいて、前記サブ周波数帯域の使用優先度を確定することと、
前記サブ周波数帯域、対応する内部干渉レベル及び使用優先度をネットワーク側に報告し、ここで、前記内部干渉レベルが、内部干渉指示が存在するか否か、内部干渉グレードのうちの少なくとも一つを含むこととを含む、前記干渉処理方法。
【請求項２】
前記方法はさらに、
第一のセルの搬送波スペクトル内で、各サブ周波数帯域を中心周波数ポイント及び帯域幅で表すことを含むことを特徴とする
請求項１に記載の方法。
【請求項３】
前記方法はさらに、
第一のセルの搬送波スペクトル内で、各サブ周波数帯域をサブ周波数帯域インデックス識別子で表すことを含むことを特徴とする
請求項１に記載の方法。
【請求項４】
前記方法はさらに、
前記第一のセルの搬送波のスペクトルを分割して少なくとも一つのスペクトルを取得することと、
少なくとも一つのスペクトルに対応する周波数に基づき、スペクトルごとにインデックス識別子を設定することとを含むことを特徴とする請求項３に記載の方法。
【請求項５】
前記方法はさらに、
第一のセルの搬送波スペクトル内で、各サブ周波数帯域を周波数ポイント開始位置及び帯域幅長さで表すことを含むことを特徴とする
請求項１に記載の方法。
【請求項６】
第一のセルの搬送波における少なくとも一つのサブ周波数帯域と第二のセルとでデータを同時に送受信する時の内部干渉レベルを検出し、前記方法はさらに、
搬送波アグリゲーション構成を採用する前記少なくとも一つの第二のセルのそれぞれに対して、前記第一のセルの搬送波における少なくとも一つのサブ周波数帯域と各第二のセルとでデータを同時に送受信する時の内部干渉レベルを検出することを含むことを特徴とする
請求項１に記載の方法。
【請求項７】
前記方法はさらに、
前記サブ周波数帯域と各第二のセルとでデータを同時に送受信する時の内部干渉レベル、及び対応する使用優先度をネットワーク側に報告することを含むことを特徴とする
請求項６に記載の方法。
【請求項８】
干渉処理方法であって、第一のネットワーク装置に適用され、
端末装置がデュアル接続モードにある場合、前記端末装置から報告された第一のセルに対応する少なくとも一つのサブ周波数帯域と第二のセルとでデータを同時に受信する時の内部干渉レベル情報と前記サブ周波数帯域に対応する使用優先度を取得し、ここで、前記デュアル接続モードで、前記端末装置が第一のセルと第二のセルとへの接続を確立することができることと、
前記少なくとも一つのサブ周波数帯域と第二のセルとでデータを同時に受信する時の内部干渉レベル情報と前記サブ周波数帯域に対応する使用優先度に基づき、使用のサブ周波数帯域を前記端末装置に指定することとを含む、前記干渉処理方法。
【請求項９】
前記方法はさらに、
受信された前記第一のセルに対応する少なくとも一つのサブ周波数帯域と第二のセルとでデータを同時に受信する時の内部干渉レベル情報と前記サブ周波数帯域に対応する使用優先度を、前記第二のセルを管理するための第二のネットワーク装置に送信すること、
又は、
前記端末装置から報告された第一のセルに対応する少なくとも一つのサブ周波数帯域と第二のセルとでデータを同時に受信する時の内部干渉レベル情報と前記サブ周波数帯域に対応する使用優先度を前記第二のネットワーク装置から取得することを含むことを特徴とする
請求項８に記載の方法。
【請求項１０】
前記少なくとも一つのサブ周波数帯域の内部干渉状況に基づき、帯域幅部分を前記端末装置に指定することは、
前記サブ周波数帯域に対応する使用優先度に基づき、前記端末装置のためにターゲットサブ周波数帯域を選択することと、
前記ターゲットサブ周波数帯域を前記端末装置に指定することとを含むことを特徴とする請求項８に記載の方法。
【請求項１１】
前記方法はさらに、
前記端末装置から送信された、搬送波アグリゲーションモードにある各第二のセルに対応する内部干渉レベル、及び対応する使用優先度を受信することを含むことを特徴とする
請求項８に記載の方法、
【請求項１２】
前記方法はさらに、
第二のネットワーク装置から送信された、搬送波アグリゲーションモードにある少なくとも一つの第二のセルに対するスケジューリングパターン情報を取得することを含むことを特徴とする
請求項１１に記載の方法。
【請求項１３】
端末装置であって、プロセッサと、プロセッサで実行可能なコンピュータプログラムを記憶するためのメモリとを備え、
ここで、前記プロセッサが前記コンピュータプログラムを実行することに用いられる場合、請求項１−７のいずれか一項に記載される方法のステップを実行する、前記端末装置。
【請求項１４】
第一のネットワーク装置であって、プロセッサと、プロセッサで実行可能なコンピュータプログラムを記憶するためのメモリとを備え、
ここで、前記プロセッサが前記コンピュータプログラムを実行することに用いられる場合、請求項８−１２のいずれか一項に記載される方法のステップを実行する、前記第一のネットワーク装置。
【請求項１５】
コンピュータ記憶媒体であって、コンピュータ実行可能命令を記憶し、前記コンピュータ実行可能命令が実行される時に、請求項１−１２のいずれか一項に記載される方法のステップを実現する、前記コンピュータ記憶媒体。
【国際調査報告】
2021502721.tif 000008
2021502721.tif 000009
2021502721.tif 000010
2021502721.tif 000011